(57)【要約】【課題】潅水パイプ内に冷媒を循環させ，このパイプの外周面にＬＥＤ集魚灯を密着形成して，ＬＥＤ集魚灯から発生した高熱を速やかに効率良く放熱でき，集魚灯装置に，非通水性で通気性のみ有するシートを備えることによって，使用中に前記装置内の高熱による圧力の上昇及び膨脹に伴う前記装置の内外における圧力差を可及的に小さくすることができるＬＥＤ集魚灯装置を提供する。【解決手段】本発明ＬＥＤ集魚灯装置は，後方に集魚灯設置台の外形に対応するパイプ結合溝を形成した集魚灯ケース，該集魚灯ケースの内部に備えられ，多数のＬＥＤが配置されて電源供給時に前方に光を照射するように構成されるＬＥＤモジュール，開放されている集魚灯ケースの前方を被覆する透明の材質からなる保護カバー，及び前記集魚灯設置台が集魚灯ケースに密着するようＬＥＤ集魚灯を後方で支持する固着具を含み，中空の集魚灯設置台内に冷媒を循環することを特徴とする。【選択図】図７
2014236724.tif 000002
【特許請求の範囲】
【請求項１】
ＬＥＤ集魚灯装置であって，
後方に集魚灯設置台の外形に対応するパイプ結合溝が形成される集魚灯ケースと，
前記集魚灯ケースの内部に備えられ，多数のＬＥＤが配置されて電源供給時に前方に光を照射するように構成されるＬＥＤモジュールと，
開放されている集魚灯ケースの前方を被覆する透明の材質からなる保護カバーと，
前記集魚灯設置台が集魚灯ケースに密着するようにＬＥＤ集魚灯を後方で支持する固着具と，を含み，
中空の前記集魚灯設置台の内には冷媒が循環するように構成し，
前記集魚灯ケースの内部の圧力上昇及び下降に伴いＬＥＤ集魚灯の内部で発生する圧力の変化量を可及的に小さくするために，前記集魚灯ケースの内部と外部との間に通水性はなく，通気性のみ有する通過させるシートをさらに備え，
前記集魚灯ケースに所定の挿孔を形成して，前記集魚灯ケースの内部と外部との間の気体流路を形成し，
前記集魚灯ケースの内側面に前記シートを設け，該シートが前記集魚灯ケースの内側面に密着するようにシート固定部材を設け，前記気体流路を前記集魚灯ケースの内部で被覆することを特徴とするＬＥＤ集魚灯装置。
【請求項２】
前記集魚灯ケースの内側面と前記シートの一側面との間，前記シートの他側面と前記シート固定部材との間にシーリング剤を塗布してシールすることを特徴とする請求項１記載のＬＥＤ集魚灯装置。
【請求項３】
前記気体流路の外気流入口は，前記シートが形成された部分より下方に位置することを特徴とする請求項１記載のＬＥＤ集魚灯装置。
【請求項４】
ＬＥＤ集魚灯装置であって，
後方に集魚灯設置台の外形形態のパイプ結合溝が形成される集魚灯ケースと，
前記集魚灯ケースの内部に備えられ，多数のＬＥＤが配置されて電源供給時に前方に光を照射するように構成されるＬＥＤモジュールと，
開放されている集魚灯ケースの前方を被覆する透明の材質からなる保護カバーと，
前記集魚灯設置台が集魚灯ケースに密着するようにＬＥＤ集魚灯を後方で支持する固着具と，を含み，
中空の前記集魚灯設置台の内には冷媒が循環するように構成し，
前記集魚灯ケースに挿孔を形成し，
前記挿孔に装着され，前記集魚灯ケースの内部と外部との間の気体流路が構成されるエアベントをさらに設け，
前記エアベントの内の前記気体流路には，通水性はなく，通気性のみ有するシートが構成されることを特徴とするＬＥＤ集魚灯装置。
【請求項５】
前記シートは，ゴアテックス（登録商標）からなることを特徴とする請求項１〜４いずれか１項記載のＬＥＤ集魚灯装置。
【請求項６】
前記ＬＥＤ集魚灯と集魚灯設置台との間のパイプ結合溝部分及び／又は固着具と集魚灯設置台との間に熱伝導用のシリコンを塗布することを特徴とする請求項１〜４いずれか１項記載のＬＥＤ集魚灯装置。
【請求項７】
前記集魚灯ケースは全体的に六面体形状であり，前方から後方に行くほど拡開され，
前記ＬＥＤ集魚灯は，前記集魚灯ケースの内側面に形成されて反射光が前方に拡散できるように反射板をさらに含むことを特徴とする請求項１〜４いずれか１項記載のＬＥＤ集魚灯装置。
【請求項８】
前記ＬＥＤ集魚灯装置には交流（ＡＣ）電源を直流（ＤＣ）電源に変換させるＡＣ−ＤＣコンバータがさらに構成され，
前記ＡＣ−ＤＣコンバータで発生する熱は前記集魚灯設置台の内に流れる冷媒により冷却されるように構成されることを特徴とする請求項１〜４いずれか１項記載のＬＥＤ集魚灯装置。
【請求項９】
前記ＬＥＤ集魚灯の後方に螺合孔を設け，前記集魚灯設置台を前記ＬＥＤ集魚灯の設置台結合溝に嵌合させた状態で，前記ＬＥＤ集魚灯の後方で連結される前記固着具を構成し，前記固着具に設けたボルトは螺合孔に螺着されることを特徴とする，請求項１〜４いずれか１項記載のＬＥＤ集魚灯装置。
【発明の詳細な説明】
【技術分野】
【０００１】
本発明は発光ダイオード（ＬＥＤ）集魚灯装置に関し，特に発光ダイオード（ＬＥＤ）を光源とするＬＥＤ集魚灯を使用するに当たって，ＬＥＤの高出力により発生した高熱を効率の良く冷却させることができるようにするために中空の潅水パイプの内に冷媒を循環させ，この潅水パイプの外周面にＬＥＤ集魚灯を密着形成させることによって，ＬＥＤ集魚灯で発生する熱が速い時間内に潅水パイプに伝達できるように構成したＬＥＤ集魚灯装置に関する。
【背景技術】
【０００２】
現在，電気／電子技術が発展するにつれて，多様な電気的に安定した発光素子が開発され，代表的な発光素子には発光ダイオード（Light Emitting Diode；ＬＥＤ）がある。
【０００３】
発光ダイオード（ＬＥＤ）は固体発光表示素子の１つであって，光の三原色である赤色（Ｒ），緑色（Ｇ），青色（Ｂ）の光を発生する単色ＬＥＤだけでなく，多様な分野に応用できる白色光ＬＥＤが開発された。
【０００４】
このようなＬＥＤの応用分野には，光により魚を集める集魚灯がある。
【０００５】
しかしながら，このようなＬＥＤを光源とする集魚灯の場合，高出力を出すためには，それだけの高熱が発生するという問題点があるため，使用中に冷却するために，多数の大重量となる放熱板を装着しなければならないという問題がある。
【先行技術文献】
【特許文献】
【０００６】
【特許文献１】大韓民国公開特許第２０１０−００９１３５３号公報（２０１０年０８月１９日公開）
【発明の概要】
【発明が解決しようとする課題】
【０００７】
本発明は，前記問題点を解決するために開発されたものであって，その目的は，中空の潅水パイプ内に冷媒を循環させ，この潅水パイプの外周面にＬＥＤ集魚灯を密着形成させて，ＬＥＤ集魚灯で発生する熱を速やかに前記潅水パイプに伝達できるように構成したＬＥＤ集魚灯装置を提供することにある。
【０００８】
また，本発明の他の目的は，通気性はあるが，通水性を有しない，すなわち，気体のみ通過し，水分を遮断するシートを設けて，使用中に発生するＬＥＤ集魚灯装置の内部の高熱による圧力の上昇及び膨脹を可及的に小さくするＬＥＤ集魚灯装置を提供することにある。
【課題を解決するための手段】
【０００９】
前記目的を達成するために，本発明に従うＬＥＤ集魚灯装置は，後方に集魚灯設置台３１の外形に対応する形態のパイプ結合溝１１１が形成される集魚灯ケース１１０，前記集魚灯ケース１１０の内部に備えられ，多数のＬＥＤ１２１が配置されて電源供給時，前方に光を照射するように構成されるＬＥＤモジュール１２０，開放されている集魚灯ケース１１０の前方を被覆する透明の材質からなる保護カバー１６０，及び前記集魚灯設置台３１が集魚灯ケース１１０に密着するようにＬＥＤ集魚灯１００を，後方で支持する固着具３００を含み，中空の前記集魚灯設置台３１の内には冷媒が循環するように構成することを特徴とする。
【００１０】
また，本発明は前記ＬＥＤ集魚灯１００と集魚灯設置台３１との間のパイプ結合溝１１１部分及び／又は固着具３００と集魚灯設置台３１との間に熱伝導用シリコンを塗布することを特徴とする。
【００１１】
また，本発明の集魚灯ケース１１０は，全体的に六面体形状であり，前方から後方に行くほど拡開され，本発明のＬＥＤ集魚灯１００は，前記集魚灯ケース１１０の内側面に設けられ，反射光を前方に拡散する反射板をさらに含むことを特徴とする。
【００１２】
また，本発明のＬＥＤ集魚灯１００は，使用中に前記集魚灯ケース１１０の内部の高熱による内部圧力の上昇及び下降に伴いＬＥＤ集魚灯１００の内部で発生する圧力の変化量を可及的に小さくするために，前記集魚灯ケース１１０の内部と外部との間の通水性はなく，通気性のみ有するシート２００をさらに備えることを特徴とする。
【００１３】
また，本発明は前記集魚灯ケース１１０に所定の挿孔を形成して，前記集魚灯ケース１１０の内部と外部との間の気体流路２０１を形成し，前記集魚灯ケース１１０の内側面に前記シート２００を設け，該シート２００が前記集魚灯ケース１１０の内側面に密着するようにシート固定部材２０２を設けて前記気体流路２０１を，例えば，前記集魚灯ケース１１０の内部で被覆することを特徴とする。
【００１４】
また，本発明は前記集魚灯ケース１１０の内側面と前記シート２００の一側面との間，前記シートの他側面と前記シート固定部材との間にシーリング剤２０５を塗布してシールすることが好適である。
【００１５】
また，本発明は，好適には，前記気体流路の外気流入口を，前記シート２００が形成された部分より下方に位置して設ける。
【００１６】
また，本発明は前記集魚灯ケース１１０に所定の挿孔を形成し，該挿孔に，前記集魚灯ケース１１０の内部と外部との間の気体流路が構成されるエアベント（air vent）４００をさらに設け，前記エアベント４００は，該エアベント４００内の前記気体流路に通水性はなく，通気性のみ有するシート４２０が設けられていることを特徴とする。
【００１７】
また，本発明は，好適には，前記シートがゴアテックス（Gore-Tex：登録商標）又は類似の材質からなる。このゴアテックスは，熱や薬品に強いテフロン（登録商標）系樹脂を伸ばして加熱して無数の微少孔を形成した極めて薄い膜から形成すれば好適である。
【００１８】
また，本発明のＬＥＤ集魚灯装置には交流（ＡＣ）電源を直流（ＤＣ）電源に変換させるＡＣ−ＤＣコンバータ１５０がさらに設けられ，前記ＡＣ−ＤＣコンバータ１５０で発生する熱は前記集魚灯設置台３１内に流れる冷媒により冷却されるように構成することが好適である。
【００１９】
また，本発明は前記ＬＥＤ集魚灯１００の内側に冷媒が充填することが好適である。
【００２０】
また，本発明は前記ＬＥＤ集魚灯１００の後方に螺合孔１４１を形成し，前記集魚灯設置台３１を前記ＬＥＤ集魚灯１００の設置台結合溝１１１に嵌合させた状態で，前記ＬＥＤ集魚灯１００の後方で連結する前記固着具３００を設け，前記固着具３００に設けたボルト１４０は前記螺合孔１４１に螺着されることを特徴とする。
【発明の効果】
【００２１】
以上のように，本発明は中空の潅水パイプの内に冷媒を循環させ，この潅水パイプの外周面にＬＥＤ集魚灯を密着形成させることによって，ＬＥＤ集魚灯で発生した高熱を速い時間内に効率良く潅水パイプを介して発散させることができる。
【００２２】
また，本発明はＬＥＤ集魚灯装置に通水性はなく，通気性のみ有するシートを備えることによって，使用中に発生する高熱によるＬＥＤ集魚灯装置の内部の圧力の上昇及び膨脹に伴うＬＥＤ集魚灯装置の内・外部間の圧力差を可及的に小さくすることができる。
【図面の簡単な説明】
【００２３】
【図１】本発明に従う漁船の斜視図である。
【図２】図１のＬＥＤ集魚灯の主要部分を抜粋した斜視図である。
【図３】本発明の集魚灯設置台にＬＥＤ集魚灯を設置した一実施形態の分解斜視図である。
【図４】本発明の集魚灯設置台にＬＥＤ集魚灯を設置した一実施形態の分解斜視図である。
【図５】図３及び図４の組立状態を示す斜視図である。
【図６ａ】本発明の集魚灯設置台にＬＥＤ集魚灯を設置した一実施形態の集魚灯ケース１１０の背面からの分解斜視図である。
【図６ｂ】本発明の集魚灯設置台にＬＥＤ集魚灯を設置した一実施形態の集魚灯ケース１１０の背面からの組立状態を示す斜視図である。
【図７】本発明の第１実施形態に従うＬＥＤ集魚灯の断面図及び部分拡大図である。
【図８】図７の拡大図を同図紙面の左側から視た図である。
【図９】本発明に従うエアベントの分解斜視図である。
【図１０】本発明に従うエアベントの組立状態を示す（ａ）は斜視図，（ｂ）は断面図である。
【図１１】本発明の第２実施形態に従うＬＥＤ集魚灯の断面図及び部分拡大図である。
【発明を実施するための形態】
【００２４】
以下，添付した図面を参照して本発明に従う好ましい実施形態を詳細に説明する。
【００２５】
図１は本発明に従う漁船１０の斜視図であり，図２は図１のＬＥＤ集魚灯１００の主要部分を抜粋した斜視図である。
【００２６】
本実施形態では，集魚灯設置台（以下，‘潅水パイプ’ともいう）３１を２列に設けたものである。
【００２７】
即ち，図面に示すように，漁船１０の上には１つ以上の垂直支持台１１が設けられ，この垂直支持台１１と垂直に漁船１０の両側（両舷側）に２列の集魚灯設置台３１が構成される。
【００２８】
本明細書では，漁船１０の一側列（第１列）に構成される集魚灯設置台３１を‘第１集魚灯設置台’とし，他側列（第２列）に構成される集魚灯設置台３１を‘第２集魚灯設置台’と称する。
【００２９】
本発明は，第１集魚灯設置台３１と第２集魚灯設置台３１とが平行な方向に，漁船１０の両側（両舷側）に設置される。
【００３０】
第１集魚灯設置台３１と第２集魚灯設置台３１との間には間隔維持部材５１が設けられるが，この間隔維持部材５１により第１集魚灯設置台３１と第２集魚灯設置台３１とが一定間隔，即ち平行を維持する。
【００３１】
また，ジョイント部５０は，第１及び第２集魚灯設置台３１，垂直支持台１１，及び間隔維持部材５１を所定の位置で連結させる。
【００３２】
第１及び第２集魚灯設置台３１の外周面には，多数のＬＥＤ集魚灯１００が固定設置される。
【００３３】
また，本発明では各列に位置したＬＥＤ集魚灯１００で照射された光が漁船１０の外側に向けるようにＬＥＤ集魚灯１００が配置される。
【００３４】
また，本発明は漁船１０のローリング発生時，漁船１０の傾いた程度（ローリング角度）を測定し，その測定されたデータに基づいてモータ（図示せず）又はシリンダ（図示せず）を制御して２列の集魚灯設置台（第１及び第２集魚灯設置台）３１を同時に回転させる手段が備えられる。
【００３５】
前記２列の集魚灯設置台３１の同時回転手段は，漁船１０のローリング（Rolling）発生時，漁船１０の傾いた程度（ローリング程度，ローリング角度）を測定する傾きセンサーと，前記傾きセンサーの出力値を受信した後，漁船１０の傾いた程度を計算して制御信号を発生させるコントローラと，前記コントローラの制御信号に従って前記モータ軸を回転させるモータを含む。この制御信号にはモータ軸の回転方向及び回転程度などのデータが含まれる。
【００３６】
本発明の一実施形態では，第１集魚灯設置台３１と第２集魚灯設置台３１とが平行に構成したが，これに限定するものではない。即ち，第１集魚灯設置台３１と第２集魚灯設置台３１とは，漁船１０の構造及び使用形態によって平行構造でなくてもかまわない。
【００３７】
また，本発明の一実施形態では，漁船１０の上に設置される集魚灯設置台３１が図２のように２列に構成することもできるが，場合によっては，１列に構成することもできる。
【００３８】
また，本発明は第１集魚灯設置台３１と第２集魚灯設置台３１との間に連結パイプ３２を設置することもできる。
【００３９】
言い換えると，第１集魚灯設置台３１の一端と第２集魚灯設置台３１の一端との間に１つの連結パイプ３２を設け，第１集魚灯設置台３１の他端と第２集魚灯設置台３１の他端との間に他の１つの連結パイプ３２を設けて，全体的に閉ループが形成されるように構成することもできる。
【００４０】
また，本発明は１つの垂直支持台１１を介して冷却水が流入され，更に他の垂直支持台１１を介して冷却水が排出される。この際，ポンプを用いることができる。
【００４１】
また，第１及び第２集魚灯設置台３１と連結パイプ３２との間には継手部材３３を設けることが好ましい。
【００４２】
また，本発明は第１及び第２集魚灯設置台３１及び連結パイプ３２の内を中空に形成し，前記中空の内に冷媒が循環するように構成することもできる。これは，第１及び第２集魚灯設置台３１に設置されたＬＥＤ集魚灯１００の迅速な冷却のためのものである。
【００４３】
また，本発明は前記冷媒を第１及び第２集魚灯設置台３１に供給するための供給パイプ（図示せず）と，温められた冷媒を外部に排出させる排出パイプ（図示せず）を設けることもできる。
【００４４】
また，本発明は連結パイプ３２の外周面にＬＥＤ集魚灯１００を設置することもできる。
【００４５】
これによって，本発明は漁船１０の両舷側だけでなく，前後方向（船首，船尾）での漁獲作業も可能である。
【００４６】
図３及び図４は本発明の一実施形態に従う集魚灯設置台３１にＬＥＤ集魚灯１００を設置したものを前方から視た（図６の）分解斜視図であり，図５は図３及び図４の組立状態を示す斜視図であり，図６ａ及び図６ｂは本発明の一実施形態に従う集魚灯設置台３１にＬＥＤ集魚灯１００を設置した図４紙面背面から視た分解斜視図及び組立状態を示す斜視図である。
【００４７】
まず，集魚灯設置台３１について説明すると，所定の長さを有し，内部に中空部が形成されたパイプであって，一例として，前述した漁船１０の両側（両舷側）に設置された構造を有する。
【００４８】
前記集魚灯設置台３１の両端は密閉するように構成することもできるが，内部の冷媒が循環できるように連結することもできる。
【００４９】
また，集魚灯設置台３１の材質は，アルミニウム，銅，鉄などを使用することができるが，寿命，耐久性，及び引張強度などを考慮してステンレス材質を用いることが好ましい。
【００５０】
前記冷媒には，冷却水（例：淡水，海水等），冷却油又は不凍液などの液体を使用することもでき，気体状態の冷却ガスなどを使用することもできる。
【００５１】
前記集魚灯設置台３１の一側外周面にはＬＥＤ集魚灯１００が形成され，集魚灯設置台３１の他側外周面にはＬＥＤ集魚灯１００を後方で支持する固着具３００が形成される。
【００５２】
ＬＥＤ集魚灯１００は，一例として，集魚灯ケース１１０，ＬＥＤモジュール取付部１３０，及びＬＥＤモジュール１２０を含んで構成される。
【００５３】
集魚灯ケース１１０は，一例として，全体的に長手方向に長い六面体形状であり，前方が開放され，内部が空いている形態を有する。この空いている部分にはＬＥＤ集魚灯１００の各種部品（ＬＥＤモジュール１２０など）が設置される。
【００５４】
また，集魚灯ケース１１０は熱伝逹に優れる金属性の材質（例：アルミニウムなど）からなる。
【００５５】
また，集魚灯ケース１１０の内側には交流（ＡＣ）を直流（ＤＣ）に変換させるＡＣ−ＤＣコンバータ１５０を設けることもできる。
【００５６】
また，集魚灯ケース１１０の後方には集魚灯設置台３１がＬＥＤ集魚灯１００と密着して連結できるように設置台結合溝（以下，‘パイプ結合溝’ともいう）１１１が形成される。
【００５７】
設置台結合溝１１１は，集魚灯ケース１１０の後方の中央に形成されることもできるが，図面のように集魚灯ケース１１０の後方の中央から若干外れた位置に形成することもできる。
【００５８】
設置台結合溝１１１の形態は，嵌合可能に，集魚灯設置台３１の外形（例：円形など）に対応して形成されることが好ましい。
【００５９】
ＬＥＤモジュール取付部１３０は，集魚灯ケース１１０の内側から前方に突出することもでき，この突出した部分にはＬＥＤモジュール１２０が取り付けられる。
【００６０】
ＬＥＤモジュール取付部１３０は，集魚灯ケース１１０の長手方向，即ちパイプ長手方向に長く形成され，その取付面は，平面に形成される。
【００６１】
また，ＬＥＤモジュール取付部１３０は，設置台結合溝１１１と最も近接した位置に設置されることがよい。ここに，本発明はＬＥＤモジュール取付部１３０に取り付けたＬＥＤモジュール１２０に対する冷却効率を向上させることができる。
【００６２】
ＬＥＤモジュール１２０は，ＬＥＤモジュール取付部１３０に取り付けるものであって，多数のＬＥＤ１２１が一定間隔で配置されて電源供給時に前方に光を放出する。
【００６３】
また，本発明のＬＥＤ集魚灯１００は，場合によって保護カバー１６０及び反射板をさらに含むこともできる。
【００６４】
保護カバー１６０は，開放されている集魚灯ケース１１０の前方を被覆するものであって，透明の材質からなる。
【００６５】
反射板は，集魚灯ケース１１０の内側面に形成されて反射光が前方に拡散できるように構成される。
【００６６】
本発明は，集魚灯設置台３１をＬＥＤ集魚灯１００の設置台結合溝１１１に結合させた状態で，集魚灯設置台３１が設置台結合溝１１１から離脱することを防止するための離脱防止手段を設ける。
【００６７】
前記の離脱防止手段は，一例として，ＬＥＤ集魚灯１００の後方に螺合孔１４１を設け，集魚灯設置台３１をＬＥＤ集魚灯１００の設置台結合溝１１１に結合させた状態で，ＬＥＤ集魚灯１００の後方で結合される固着具３００を設け，前記固着具に設けられたボルト１４０は螺合孔１４１に締結される。
【００６８】
本発明の一実施形態では，螺合孔１４１が設置台結合溝１１１を基準に上・下側に各々２つずつ備えられる。
【００６９】
固着具３００は，中央部分がここでは，円弧状に折曲され，両端にはボルト１４０が挿入される挿孔が形成される。
【００７０】
これによって，本発明はボルト１４０が固着具３００のホールに挟まれた状態で，後方で集魚灯設置台３１を支持し，ＬＥＤ集魚灯１００の螺合孔１４１に結合される。すると，集魚灯設置台３１を基準に集魚灯設置台３１の一側外周面にはＬＥＤ集魚灯１００が密着して設けられ，集魚灯設置台３１の他側外周面には固着具３００が密着して設けられる。
【００７１】
本発明は，ＬＥＤ集魚灯１００と集魚灯設置台３１との間のパイプ結合溝１１１部分及び／又は固着具３００と集魚灯設置台３１との間に熱伝導用のシリコンを塗布することが好ましい。
【００７２】
また，本発明はＬＥＤモジュール取付部１３０の上部にＬＥＤモジュール１２０が配置された状態で，ＬＥＤ集魚灯１００の設置台結合溝１１１に冷媒が注入された（又は，循環する）集魚灯設置台３１を結合し，固着具３００を用いてＬＥＤ集魚灯１００が集魚灯設置台３１に固定できる。さらに，本発明は集魚灯ケース１１０の内側にＡＣ−ＤＣコンバータ１５０を設けることができる。
【００７３】
このような状態でＬＥＤ集魚灯１００を稼動（ON）すれば，ＬＥＤ集魚灯１００のＬＥＤモジュール１２０及びＡＣ−ＤＣコンバータ１５０で熱が発生するようになる。この熱はＬＥＤモジュール取付部１３０を通じて集魚灯設置台３１に伝達されて，集魚灯設置台３１の内の冷媒により冷却される。
【００７４】
多くの熱は冷媒で冷却されて，集魚灯設置台３１を通じて一部放熱されることもある。
【００７５】
また，本発明はＬＥＤ集魚灯１００の内に冷媒（水など）を循環させて冷却するようにもできる。
【００７６】
前記離脱防止手段の他の一例として，ＬＥＤ集魚灯１００の内側から後方に貫通されたボルトと，集魚灯設置台３１をＬＥＤ集魚灯１００の設置台結合溝１１１に結合させた状態で，ＬＥＤ集魚灯１００の後方で結合される固着具と，前記ボルトに結合されるナットとを含んで構成される。
【００７７】
図７は，本発明の第１実施形態に従うＬＥＤ集魚灯１００の断面図及び一部拡大図であり，図８は，図７の拡大図を一側（同図紙面左側）から視た図である。
【００７８】
本発明のＬＥＤ集魚灯１００は，前方に光を照射するように構成されたランプと，前記ランプを固定するプレートと，前記ＬＥＤ集魚灯１００の内・外部間の圧力差を可及的に小さくする手段（選択的透過手段）を含む。
【００７９】
ここで，ランプはプレートに固定される光源自体であるか，光源（例：ＬＥＤ光源）とＬＥＤモジュールとを含んで構成することができる。
【００８０】
光源の一例には，図３から図７の説明部分で説明されたＬＥＤ光源だけでなく，白熱灯，ガス灯，蛍光灯なども含まれる。
【００８１】
また，プレートは，一例として，板状であり，正面には多数のＬＥＤ光源を備えるＬＥＤモジュール１２０を有する。
【００８２】
次に，前記ＬＥＤ集魚灯１００の内・外部間の圧力差を可及的に小さくする選択的透過手段についてより具体的に説明する。
【００８３】
図７及び図８に示すように，集魚灯ケース１１０に所定の挿孔を形成して，集魚灯ケース１１０の内部と外部との間の気体流路２０１を形成する。
【００８４】
また，前記挿孔を被覆する（covering）する集魚灯ケース１１０の内側面にシート２００を設け，このシート２００が集魚灯ケース１１０の内側面に密着するようにシート固定部材２０２を設ける。
【００８５】
シート２００は，集魚灯ケース１１０の内部と外部との間で水分の通過を遮断し，気体のみ通過させる高密度の繊維構造を有するフィルムである。一例として，外出着に使われるゴアテックス材料である。このゴアテックスは熱や薬品に強いテフロン系樹脂を伸ばして加熱して無数の小さい孔を開けた極めて薄い膜であって，気体の通過を許容し，かつ水分の通過を遮断することは既知のところである。
【００８６】
シート固定部材２０２は，一例として，フランジを有する環状に形成されてボルト２０４などを介して集魚灯ケース１１０に固定される。これによって，シート２００はシート固定部材２０２と集魚灯ケース１１０との間に固定配置される。
【００８７】
また，本発明は集魚灯ケース１１０の内側面とシート２００の一側面との間，そしてシート２００の他側面とシート固定部材２０２との間にシーリング剤２０５を塗布する。これは，シート２００を通じてのみ空気流出入が可能であるようにするためのものである。
【００８８】
また，本発明は気体流路２０１を上下逆のＬ字状に集魚灯ケース１１０の内で屈曲させ，この気体流路２０１の外気流入口２０３が，シート２００が形成された部分より下方に位置するように構成することが好ましい。これによって，図７のような形態のＬＥＤ集魚灯１００が集魚灯設置台３１に設置された時，外気流入口２０３を通じて雨水や海水などの流入が防止されて，この雨水や海水によりシート２００が裂ける問題点を未然に防止することができる。
【００８９】
前記したように，本発明はＬＥＤ集魚灯１００に選択的透過手段を形成する。これによって，夏季又は使用中の高熱によりＬＥＤ集魚灯１００又は集魚灯ケース１１０の内部の空気膨脹が発生し，冬季にはＬＥＤ集魚灯１００又は集魚灯ケース１１０の内部の空気収縮が発生することによって，ＬＥＤ集魚灯１００又は集魚灯ケース１１０の内・外部間の急激な圧力差が発生するが，この際，前記シートを通じて気体の通過のみなされることによって熱膨脹又は熱収縮に従うＬＥＤ照明灯の故障（部品損傷及びシーリング（sealing）弱化など）を防止することができる。
【００９０】
図９は，本発明に従うエアベント４００の分解斜視図であり，図１０ａ及び図１０ｂは，本発明に従うエアベント４００の組立状態を示す斜視図及び断面図であり，図１１は本発明の第２実施形態に従うＬＥＤ集魚灯１００の断面図及び部分拡大図である。
【００９１】
本発明のＬＥＤ集魚灯１００には，図９及び図１０のエアベント４００が設置される。
【００９２】
エアベント４００は，集魚灯ケース１１０に形成された所定の挿孔に装着される。
【００９３】
具体的に，エアベント４００は，ハウジング４１０，シート４２０，キャップ４３０及び締結具４４０を含む。
【００９４】
ハウジングの下部４１ｂは，内部が中空の円柱形状であり，外周面にはねじ山が形成される。
【００９５】
ハウジングの上部４１ａはシート４２０を取り付けるためのシート取付部４１１が形成され，側面には１つ以上の通風口４１２が形成され，上方が開放された形態を有する。
【００９６】
シート４２０は前記ハウジング４１０のシート取付部４１１に取り付けるものであって，図７及び図８の説明部分で説明されたシート２００と同一な機能を有する。
【００９７】
また，シート４２０はシート取付部４１１に取り付けた後，外部の如何なる力が加えられない限り，シート取付部４１１から離脱しないように構成される。一例として，シート４２０は若干の弾性を有するようにして，シート４２０の縁はシート取付部４１１に当接し，シート４２０の中央部分はシート取付部４１１から若干離れるように凸な形態を有することが好ましい（図１０ｂ参照）。
【００９８】
キャップ４３０は，ハウジングの上部４１ａの開放された部分を被覆するものであって，ここには嵌合突起４３１が形成されて，ハウジングの上部４１ａの内側面に締り嵌めがなされるように構成される。
【００９９】
締結具４４０は，上下方が開放され，内部が中空であり，ハウジングの下部４１ｂと螺合連結されるように内周面にねじ山が形成される。
【０１００】
次に，前記のような構造のエアベント４００を本発明のＬＥＤ集魚灯１００に締結する過程について説明する。
【０１０１】
まず，ＬＥＤ集魚灯１００の集魚灯ケース１１０に所定の挿孔を形成し，この挿孔を通じてエアベント４００をＬＥＤ集魚灯１００に締結する。この際，ハウジングの下部４１ｂがＬＥＤ集魚灯１００の内側に位置し，キャップ４３０がＬＥＤ集魚灯１００の外側に位置するようにする。以後，締結具４４０を前記ハウジングの下部４１ｂに締結すればよい。
【０１０２】
このような締結構造において，ＬＥＤ集魚灯１００の内部の空気はハウジングの下部４１ｂを通過した後，シート４２０を経てハウジングの上部４１ａに形成された通風口４１２を通じてＬＥＤ集魚灯１００の外部に排出される。反対に，ＬＥＤ集魚灯１００の外部の空気はハウジングの上部４１ａに形成された通風口４１２を通じて流入された後，シート４２０を経てハウジングの下部４１ｂを通じてＬＥＤ集魚灯１００の内部に流入される。
【０１０３】
上記のように，本発明の好ましい実施形態を参照して説明したが，該当技術分野の通常の知識を有する当業者であれば，以下の特許請求範囲に記載された本発明の思想及び領域の範囲内で本発明を多様に修正及び変更して適応することができることは言うまでもない。
【符号の説明】
【０１０４】
１０    漁船
１１    垂直支持台
３１    集魚灯設置台
３２    連結パイプ
３３    継手部材
５０    ジョイント部
５１    間隔維持部材
１００    ＬＥＤ集魚灯
１１０    集魚灯ケース
１１１    設置台結合溝（パイプ結合溝）
１２０    ＬＥＤモジュール
１２１    ＬＥＤ
１３０    ＬＥＤモジュール取付部
１４０    ボルト
１４１    螺合孔
１５０    ＡＣ−ＤＣコンバータ
１６０    保護カバー
２００    シート
２０１    気体流路
２０２    シート固定部材
２０３    外気流入口
２０４    ボルト
２０５    シーリング剤
３００    固着具
４００    エアベント
４１０    ハウジング
４１ａ    ハウジングの上部
４１ｂ    ハウジングの下部
４１１    シート取付部
４１２    通風口
４２０    シート
４３０    キャップ
４３１    嵌合突起
４４０    締結具
【図１】
2014236724.tif 000003
【図２】
2014236724.tif 000004
【図３】
2014236724.tif 000005
【図４】
2014236724.tif 000006
【図５】
2014236724.tif 000007
【図６ａ】
2014236724.tif 000008
【図６ｂ】
2014236724.tif 000009
【図７】
2014236724.tif 000010
【図８】
2014236724.tif 000011
【図９】
2014236724.tif 000012
【図１０】
2014236724.tif 000013
【図１１】
2014236724.tif 000014